(57)【要約】【課題】平素は、リモコンを車両の遠隔始動及びドアのロック／解除機能として使用し、車両の事故時は、事故現場を直ちに撮影し証拠として確保できるデジタルカメラ内蔵型自動車用リモコンを提供する。【解決手段】  本発明によるデジタルカメラ内蔵型自動車用リモコンは、液晶ディスプレイ部と、シャッター部と、レンズ部と、制御ユニット及びメモリを含む基板と、入出力ポートとから構成されるデジタルカメラをリモコンケースの内外部に所定の配列で設置した。【選択図】図１
2006025391.tif 000002
【特許請求の範囲】
【請求項１】
自動車用リモコンにおいて、
液晶ディスプレイ部と、シャッター部と、レンズ部と、制御ユニット及びメモリを含む基板と、入出力ポートとから構成されるデジタルカメラをリモコンケースの内外部に所定の配列で設置したことを特徴とするデジタルカメラ内蔵型自動車用リモコン。
【請求項２】
前記シャッター部は、ドアロック及び解除ボタンと共に、前記リモコンケースの前面上端に配列されて、前記液晶ディスプレイ部は、前面下端に配列されることを特徴とする請求項１に記載のデジタルカメラ内蔵型自動車用リモコン。
【請求項３】
前記レンズ部は、前記リモコンケースの後面上端に配列されて、前記入出力ポートは、前記リモコンケースの一側面に取り付けられることを特徴とする請求項１に記載のデジタルカメラ内蔵型自動車用リモコン。
【請求項４】
前記リモコンケースの所定位置には、デジタルカメラのオン／オフスイッチがさらに付着されることを特徴とする請求項１に記載のデジタルカメラ内蔵型自動車用リモコン。
【発明の詳細な説明】
【技術分野】
【０００１】
本発明は、デジタルカメラ内蔵型自動車用リモコンに係り、より詳細には、自動車の始動オン／オフ機能などを含むリモコンにデジタルカメラを内蔵して、車両の事故現場などを映像で記録できるようにしたデジタルカメラ内蔵型自動車用リモコンに関する。
【背景技術】
【０００２】
車両の走行中、接触事故または轢き逃げ事故など、各種の事故が発生するにつれて、事故に至った経過の是非が頻繁に問題となる。そして実質的な証拠を提示できず損害を受ける場合がある。
【０００３】
そのため、運転者は、自分の立場で事故直後の証拠を確保するため、カメラを車室内の収納空間に備えたりしている。
【０００４】
しかし、車両の事故時、カメラなどがない状態では、事故当時の映像を証拠として確保することができず、色々な紛争事件に巻き込まれるなど、面倒なことになって、損害を受けてしまうとの問題点がある。
【特許文献１】特開平１０−３２２７７８号公報
【発明の開示】
【発明が解決しようとする課題】
【０００５】
本発明は、上記のような点に鑑みて創出されたもので、自動車用リモコンにデジタルカメラを内蔵して、平素は、リモコンを車両の遠隔始動及びドアのロック／解除機能として使用し、車両の事故時は、事故現場を直ちに撮影し証拠として確保できるデジタルカメラ内蔵型自動車用リモコンを提供することに、その目的がある。
【課題を解決するための手段】
【０００６】
本発明によるデジタルカメラ内蔵型自動車用リモコンは、液晶ディスプレイ部と、シャッター部と、レンズ部と、制御ユニット及びメモリを含む基板と、入出力ポートとから構成されるデジタルカメラをリモコンケースの内外部に所定の配列で設置したことを特徴とする。
【０００７】
前記シャッター部は、ドアロック及び解除ボタンと共に、前記リモコンケースの前面上端に配列されて、前記液晶ディスプレイ部は、前面下端に配列されることが好ましい。
【０００８】
前記レンズ部は、前記リモコンケースの後面上端に配列されて、前記入出力ポートは、前記リモコンケースの一側面に取り付けられることが好ましい。
【０００９】
前記リモコンケースの所定位置には、デジタルカメラのオン／オフスイッチがさらに付着されることが好ましい。
【発明の効果】
【００１０】
本発明によるデジタルカメラ内蔵型自動車用リモコンによると、自動車用リモコンにデジタルカメラを内蔵し、車両の事故時、その事故現場を証拠用として撮影することができるという有用な利点を有する。
【発明を実施するための最良の形態】
【００１１】
以下、本発明の好ましい実施例を、図面を参照して詳細に説明する。
【実施例１】
【００１２】
図１は、本発明によるデジタルカメラ内蔵型自動車用リモコンを示す斜視図である。図２は、正面図である。図３は、背面図である。
【００１３】
本発明は、自動車用リモコンにデジタルカメラを内蔵し、車両の事故現場の様子を証拠用として撮影できるようにしたことに主眼点がある。
【００１４】
一般に、自動車用リモコン１００は、車両の始動を遠距離でオンさせることのできる遠隔始動ボタン１２と、ドアのロック及び解除のためのボタン１４、１６が押下可能に形成されており、上端一側には、遠隔始動の信号交換のためのアンテナ１８が取り付けられている。
【００１５】
最近の携帯端末には、デジタルカメラが内蔵されたモデルが市販されているが、本発明は、デジタルカメラを成す各構成品を自動車用リモコンに所定の配列で装着して構成される。
【００１６】
上述のように、デジタルカメラは、基本的に液晶ディスプレイ部と、シャッター部と、レンズ部と、制御ユニット及びメモリを含む基板と、入出力ポートとから構成されており、制御ユニット及びメモリを含む基板を除いて、前記液晶ディスプレイ部、シャッター部、レンズ部、入出力ポートは、外部に露出して装着される。
【００１７】
ここで、デジタルカメラの各構成を自動車用リモコンケース１０の内外部に所定の配列で設けて、デジタルカメラの内蔵された自動車用リモコンを具現することができる。
【００１８】
即ち、自動車用リモコンケース１０の前面には、ドアロック及び解除ボタン１４、１６が上端部に配置されて、このドアロック及び解除ボタン１４、１６の下側にデジタルカメラのシャッター部２０を配置する。
【００１９】
また、リモコンケース１０の前面下端部には、デジタルカメラの液晶ディスプレイ部２２を配置する。
【００２０】
また、デジタルカメラのレンズ部２４は、図３に示すように、リモコンケース１０の背面上端に配置する。
【００２１】
一方、デジタルカメラのオン／オフのためのスイッチ２６が、リモコンケース１０の所定位置にさらに形成され、撮影時にのみデジタルカメラをオンさせることができるようにする。
【００２２】
特に、デジタルカメラで撮影した映像情報を外部機器（ＰＣ、ビデオカメラ、プリンターなど）に伝送するための入出力ポート２８が、図４に示すように、前記リモコンケース１０の一側面に配置される。
【００２３】
従って、平素は、自動車用リモコンの用途として使用するが、車両の事故時は、その現場をリモコンに内蔵されたデジタルカメラで撮影し、証拠として貯蔵することができる。
【００２４】
即ち、デジタルカメラ用オン／オフスイッチ２６をオンさせた後、レンズ部２４を撮影したい事故現場の対象物に向けると同時に、液晶ディスプレイ部２２を見ながらシャッター部２０を押すという動作により、事故現場の証拠写真を撮影することができて、後で入出力ポート２８を通じて、他の外部機器（ＰＣ、ビデオカメラ、プリンターなど）に出力するができる。
【産業上の利用可能性】
【００２５】
本発明は、デジタルカメラを内蔵した自動車用リモコンとして好適である。
【図面の簡単な説明】
【００２６】
【図１】本発明によるデジタルカメラ内装型自動車用リモコンを示す斜視図である。
【図２】本発明によるデジタルカメラ内装型自動車用リモコンを示す正面図である。
【図３】本発明によるデジタルカメラ内装型自動車用リモコンを示す背面図である。
【図４】本発明によるデジタルカメラ内装型自動車用リモコンを示す一側面図である。
【符号の説明】
【００２７】
１０    リモコンケース
１２    遠隔始動ボタン
１４、１６    ドアロック及び解除ボタン
１８    アンテナ
２０    シャッター部
２２    液晶ディスプレイ部
２４    レンズ部
２６    スイッチ
２８    入出力ポート
１００    リモコン
【図１】
2006025391.tif 000003
【図２】
2006025391.tif 000004
【図３】
2006025391.tif 000005
【図４】
2006025391.tif 000006